(57)【要約】【課題】天井野縁に交差するように間仕切壁パネルの上端部を天井野縁に固定する固定構造において、天井野縁とこの天井野縁の下面に設けられる間仕切壁パネルとの間に隙間が形成されない間仕切壁パネルの天井固定構造を提供する。【解決手段】天井野縁１を間隔をおいて複数並設し、前記複数の天井野縁１に交差するようにこれらの天井野縁１の下面に直線状に取着面が粘着性を有する帯状又は紐状をした目印部材２を取着し、この目印部材２に沿って間仕切壁パネル３の上端部３ａをビス等の固着具４にて固定した。【選択図】        図１
2004150042.tif 000002
【特許請求の範囲】
【請求項１】
天井野縁を間隔をおいて複数並設し、前記複数の天井野縁に交差するようにこれらの天井野縁の下面に直線状に取着面が粘着性を有する帯状又は紐状をした目印部材を取着し、この目印部材に沿って間仕切壁パネルの上端部をビス等の固着具にて固定することを特徴とする間仕切壁パネルの天井固定構造。
【発明の詳細な説明】
【０００１】
【発明の属する技術分野】
本発明は、間仕切壁パネルの天井野縁への固定構造に関するものである。
【０００２】
【従来の技術】
従来より、部屋を間仕切る場合、間仕切壁パネルを天井と床面との間に配設して間仕切ることが行われている（例えば特許文献１参照）。このものにあっては、天井，床面のそれぞれ間仕切壁パネルの上端部，下端部が固定される位置にランナーを取り付け、このランナーに間仕切壁パネルの上端部，下端部を固定することで間仕切壁パネルを配設固定するものである。
【０００３】
ところで、このような間仕切壁パネルの上端部，下端部が固定される天井及び床面は、二重天井や二重床等特に限定されないもので、天井としては、天井野縁が間隔をおいて複数配設した天井である場合が良くある。
【０００４】
このような天井においては、図３に示すように、複数の天井野縁１に交差するように直線状の天井ランナー５３’を夫々の天井野縁１の下面に釘やビス等の固着具５４’にて固着し、この直線状の天井ランナー５３’に間仕切壁パネル３の上端部３ａを釘やビス等の固着具４にて固着してある。
【０００５】
しかしながら、このようなものにあっては、図４に示すように、間仕切壁パネル３の重みによって天井ランナー５３’が撓み、天井ランナー５３’と天井野縁１の固着部分以外の部分において隙間Ｓが形成されてしまうものであった。そこで、天井ランナー５３’と天井野縁１との間に隙間Ｓが形成されるのを阻止するため、天井ランナー５３’を設けずに間仕切壁パネル３を天井野縁１に直接固着することが考えられるが、この場合、天井ランナー５３’が存在しないため天井野縁１の間仕切壁パネル３が取り付けられる箇所が分からず、天井野縁１に対する間仕切壁パネル３の位置決めができないものであった。
【０００６】
【特許文献１】
特開２００２−１４９５２９号公報
【０００７】
【発明が解決しようとする課題】
本発明は上記の点に鑑みて発明したものであって、その目的とするところは、天井野縁に交差するように間仕切壁パネルの上端部を天井野縁に固定する固定構造において、天井野縁とこの天井野縁の下面に設けられる間仕切壁パネルとの間に隙間が形成されない間仕切壁パネルの天井固定構造を提供することを課題とするものである。
【０００８】
【課題を解決するための手段】
上記課題を解決するために本発明の間仕切壁パネルの天井固定構造にあっては、天井野縁１を間隔をおいて複数並設し、前記複数の天井野縁１に交差するようにこれらの天井野縁１の下面に直線状に取着面が粘着性を有する帯状又は紐状をした目印部材２を取着し、この目印部材２に沿って間仕切壁パネル３の上端部３ａをビス等の固着具４にて固定することを特徴とするものである。このような構成とすることで、天井野縁１と間仕切壁パネル３との間に隙間が形成されるのを防止することができる。
【０００９】
【発明の実施の形態】
本発明を添付図面に示す実施形態に基づいて説明する。本実施形態においては、間仕切壁パネル３の上端部３ａ，下端部が固定される天井，床面は二重天井，二重床として形成してある。まず、二重床について説明する。
【００１０】
二重床は、特に図示はしないが、コンクリート等で形成される床スラブ上に複数の支持脚を固定し、この支持脚上に床下地材を載設し、更に、床下地材の上面に床仕上げ材を設けて構成してある。
【００１１】
このような二重床に間仕切壁パネル３の下端部を固定するには、二重床の床下地材の上面に床ランナーを固定すると共にこの床ランナー上に台座を固定し、この台座に間仕切壁パネル３の下端部を載置固定することで行う。なお、床下地材の前記床ランナーが固定される部分には床仕上げ材は設けておらず、床ランナーが固定されていない部分に床仕上げ材を設けてある。
【００１２】
次に、二重天井について説明する。二重天井は、図１，図２に示すように、コンクリート等からなる天井スラブ５１から吊具５２を吊下げてこの吊具５２に天井野縁１を取り付け、天井野縁１に天井仕上げ材（図示せず）を取り付けて構成してある。そして、従来例では上述したように天井野縁１に天井ランナー５３’を取り付けるのであるが、本実施形態においては、天井ランナー５３’を取り付けるかわりに目印部材２を取着するものである。
【００１３】
目印部材２は、本実施形態では一方の面が粘着性を有する帯状に形成されるもので、布や紙，合成樹脂フィルム等どのような材料で形成してあってもよい。そして、天井野縁１への取着面となる上面には、粘着性を有するように粘着剤を塗布してある。
【００１４】
このような目印部材２は、配設しようとする間仕切壁パネル３の上端部３ａが位置する部分に取着するもので、従来例において天井ランナー５３’を取り付ける部分に取着するものである。更に詳述すると、目印部材２は、天井野縁１に交差するようにこれらの天井野縁１の下面に直線状に取着し、間仕切壁パネル３の上端部３ａが取り付けられる箇所を示す目印となるものである。目印部材２の天井野縁１の下面への取着は、目印部材２の粘着剤にて粘着して行う。
【００１５】
このように目印部材２を取り付けた後、間仕切壁パネル３の上端部３ａをビス等の固着具４にて固着することで間仕切壁パネル３の上端部３ａの天井野縁１への固定が行われる。なお、間仕切壁パネル３の天井野縁１への取付け部分には、まわり縁（図示せず）を設けて取付部を覆い隠すものである。
【００１６】
このように、目印部材２を先に取着しているため、間仕切壁パネル３の上端部の天井野縁への位置決めを行うことができ、また、間仕切壁パネル３を天井野縁１に直接取り付けるため、天井野縁１と間仕切壁パネル３との間に従来例におけるような隙間Ｓが形成されないものである。これにより、二重床及び二重天井のように間に配設した間仕切壁パネルが上下に沈んだり浮いたりし易いものにおいて、間仕切壁パネルが上下に移動するのを抑えることができて、隙間が形成されて見苦しくなるのを防止することができる。
【００１７】
【発明の効果】
上述のように請求項１記載の発明にあっては、天井野縁を間隔をおいて複数並設し、前記複数の天井野縁に交差するようにこれらの天井野縁の下面に直線状に取着面が粘着性を有する帯状又は紐状をした目印部材を取着し、この目印部材に沿って間仕切壁パネルの上端部をビス等の固着具にて固定したので、天井野縁と間仕切壁パネルとの間に隙間が形成されるのを防止することができる。
【図面の簡単な説明】
【図１】本発明の一実施形態の斜視図である。
【図２】同上の側断面図である。
【図３】従来例の斜視図である。
【図４】同上の側断面図である。
【符号の説明】
１  天井野縁
２  目印部材
３  間仕切壁パネル
４  固着具
【図１】
2004150042.tif 000003
【図２】
2004150042.tif 000004
【図３】
2004150042.tif 000005
【図４】
2004150042.tif 000006